(57)【要約】【目的】  本発明はクロストークを抑止でき、端子の配列方向の寸法を低減できるコネクタを提供する。【構成】  コネクタはボディ１００と端子群Ｃを備える。端子群Ｃは、ボディ１００に第１方向Ｘに一列で配列された一対の第１シグナル端子３１０Ｓ、一対の第２シグナル端子３２０Ｓ及びグランド端子３３０Ｇを有する。第１、第２シグナル端子３１０Ｓ、３２０Ｓは第２方向Ｙに延び且つ互いに隣り合う。グランド端子３３０Ｇは、第２方向Ｙに延び且つ一方の第１シグナル端子３１０Ｓと一方の第２シグナル端子３２０Ｓとの間に配置される。グランド端子３３０Ｇの第１方向Ｘの幅寸法が、第１、第２シグナル端子３１０Ｓ、３２０Ｓの第１方向Ｘの幅寸法の２倍未満である。グランド端子３３０Ｇの少なくとも一部の第３方向Ｚの厚み寸法が、第１、第２シグナル端子３１０Ｓ、３２０Ｓの第３方向Ｚの厚み寸法よりも大きい。【選択図】      図３
2012227025.tif 000002
【特許請求の範囲】
【請求項１】
絶縁性を有するボディと、
端子群とを備えており、
前記端子群は、前記ボディに第１方向に一列で配列された一対の第１シグナル端子、第２シグナル端子及びグランド端子を有しており、
前記一対の第１シグナル端子は、前記第１方向に直交する第２方向に各々延びており且つ前記第１方向において互いに隣り合っており、
前記第２シグナル端子は、前記第２方向に延びており、
前記グランド端子は、前記第２方向に延びており且つ前記一対の第１シグナル端子のうちの一方の第１シグナル端子と前記第２シグナル端子との間に配置されており、
前記グランド端子の前記第１方向の幅寸法が、前記第１シグナル端子の前記第１方向の幅寸法の２倍未満であり、
前記グランド端子の少なくとも一部の前記第１、第２方向に直交する第３方向の厚み寸法が、前記第１、第２シグナル端子の前記第３方向の厚み寸法よりも大きいコネクタ。
【請求項２】
請求項１記載のコネクタにおいて、
前記端子群は、前記第１方向において互いに隣り合う一対の前記第２シグナル端子を有しており、
前記グランド端子は、前記一方の第１シグナル端子と、前記一対の第２シグナル端子のうちの一方の第２シグナル端子との間に配置されているコネクタ。
【請求項３】
請求項２記載のコネクタにおいて、
前記端子群は、複数の前記グランド端子を有しており、
前記グランド端子は、他方の前記第１、第２シグナル端子の両隣のうち前記一方の第１、第２シグナル端子の反対側にも配置されているコネクタ。
【請求項４】
請求項２又は３記載のコネクタにおいて、
前記グランド端子の前記一部の中心と、前記第１、第２シグナル端子の前記グランド端子の前記一部に対応する部分の中心とが、前記第３方向において略同じ高さに位置しているコネクタ。
【請求項５】
請求項１〜４の何れかに記載のコネクタにおいて、
前記グランド端子の前記第１方向の幅寸法が、前記第１、第２シグナル端子の少なくとも一方の前記第１方向の幅寸法よりも小さいコネクタ。
【請求項６】
請求項１〜４の何れかに記載のコネクタにおいて、
前記グランド端子は、前記厚み寸法を除く外形が、前記第１、第２シグナル端子の少なくとも一方の外形と略同じであるコネクタ。
【請求項７】
請求項１〜６の何れかに記載のコネクタにおいて、
前記第１、第２シグナル端子は、前記第２方向に加えて、前記第１方向にも延びた導電板であり、
前記グランド端子は、前記第２方向に加えて、前記第３方向にも延びた導電板であるコネクタ。
【請求項８】
請求項１〜７の何れかに記載のコネクタにおいて、
前記グランド端子の少なくとも一部の前記第３方向の厚み寸法が、前記第１、第２シグナル端子の前記第３方向の厚み寸法よりも１.５倍以上大きいコネクタ。
【請求項９】
絶縁性を有するボディと、
端子群とを備えており、
前記端子群は、前記ボディに第１方向に一列で配設された複数のシグナル端子及びグランド端子を有しており、
前記シグナル端子は前記第１方向に直交する第２方向に延びており、
前記グランド端子は、前記第２方向に延びており且つ隣り合う２つの前記シグナル端子の間に配置されており、
前記グランド端子の前記第１方向の幅寸法が、前記シグナル端子の前記第１方向の幅寸法の２倍未満であり、
前記グランド端子の少なくとも一部の前記第１、第２方向に直交する第３方向の厚み寸法が、前記シグナル端子の前記第３方向の厚み寸法よりも大きいコネクタ。
【請求項１０】
請求項９記載のコネクタにおいて、
前記端子群は、複数の前記グランド端子を有しており、
前記グランド端子は、前記シグナル端子のうち前記第１方向の両端に位置する前記シグナル端子の隣にも配置されているコネクタ。
【請求項１１】
請求項９又は１０記載のコネクタにおいて、
前記グランド端子の前記一部の中心と、前記シグナル端子の前記グランド端子の前記一部に対応する部分の中心とが、前記第３方向において略同じ高さに位置しているコネクタ。
【請求項１２】
請求項９〜１１の何れかに記載のコネクタにおいて、
前記グランド端子の前記第１方向の幅寸法が、前記シグナル端子の前記第１方向の幅寸法よりも小さいコネクタ。
【請求項１３】
請求項９〜１１の何れかに記載のコネクタにおいて、
前記グランド端子は、前記厚み寸法を除く外形が、前記シグナル端子の外形と略同じであるコネクタ。
【請求項１４】
請求項９〜１３の何れかに記載のコネクタにおいて、
前記シグナル端子は、前記第２方向に加えて、前記第１方向にも延びた導電板であり、
前記グランド端子は、前記第２方向に加えて、前記第３方向にも延びた導電板であるコネクタ。
【請求項１５】
請求項８〜１４の何れかに記載のコネクタにおいて、
前記グランド端子の少なくとも一部の前記第３方向の厚み寸法が、前記シグナル端子の前記第３方向の厚み寸法よりも１.５倍以上大きいコネクタ。
【発明の詳細な説明】
【技術分野】
【０００１】
本発明は、シグナル端子及びグランド端子を備えたコネクタに関する。
【背景技術】
【０００２】
従来のコネクタとしては、複数の端子が複数列で配列されている。前記端子は、シグナル端子とグランド端子とを含んでいる。各列において、シグナル端子とグランド端子とが交互に配列されている。シグナル端子に伝送される高周波信号のクロストークを抑止するために、グランド端子の配列方向の寸法が、シグナル端子の配列方向の寸法の２倍以上とされている（特許文献１の図３参照）。なお、ここでいう配列方向とは、各列における端子の配列方向のことである。
【先行技術文献】
【特許文献】
【０００３】
【特許文献１】特開平０７−１６１４１４号公報
【発明の概要】
【発明が解決しようとする課題】
【０００４】
ところが、グランド端子の配列方向の寸法が、シグナル端子の配列方向の寸法の２倍以上である場合、コネクタの前記配列方向の寸法が大きくなる。
【０００５】
本発明は、上記事情に鑑みて創案されたものであって、その目的とするところは、クロストークを抑止でき且つ端子の配列方向の寸法の低減を図ることができるコネクタを提供することにある。
【課題を解決するための手段】
【０００６】
本発明の第１コネクタは、絶縁性を有するボディと、端子群とを備えている。前記端子群は、前記ボディに第１方向に一列で配列された一対の第１シグナル端子、第２シグナル端子及びグランド端子を有している。前記一対の第１シグナル端子は、前記第１方向に直交する第２方向に各々延びており且つ前記第１方向において互いに隣り合っている。前記第２シグナル端子は、前記第２方向に延びている。前記グランド端子は、前記第２方向に延びており且つ前記一対の第１シグナル端子のうちの一方の第１シグナル端子と前記第２シグナル端子との間に配置されている。前記グランド端子の前記第１方向の幅寸法は、前記第１シグナル端子の前記第１方向の幅寸法の２倍未満である。前記グランド端子の少なくとも一部の前記第１、第２方向に直交する第３方向の厚み寸法は、前記第１、第２シグナル端子の前記第３方向の厚み寸法よりも大きくなっている。
【０００７】
前記第１コネクタは、グランド端子の第１方向の幅寸法が第１シグナル端子の第１方向の幅寸法の２倍未満であるものの、グランド端子の少なくとも一部の第３方向の厚み寸法が第１、第２シグナル端子の第３方向の厚み寸法よりも大きいので、グランド端子の導体抵抗及びＧＮＤ電位を下げることができる。よって、前記第１コネクタは、グランド端子により第１シグナル端子により伝送される信号と第２シグナル端子により伝送される信号とのクロストークを抑止することができ、且つ前記第１コネクタの第１方向の幅寸法の低減を図ることができる。
【０００８】
前記端子群は、前記第１方向において互いに隣り合う一対の前記第２シグナル端子を有する構成とすることが可能である。この場合、前記グランド端子は、前記一方の第１シグナル端子と、前記一対の第２シグナル端子のうちの一方の第２シグナル端子との間に配置された構成とすることが可能である。
【０００９】
前記端子群は、複数の前記グランド端子を有する構成とすることが可能である。この場合、前記グランド端子は、他方の前記第１、第２シグナル端子の両隣のうち前記一方の第１、第２シグナル端子の反対側にも配置することが可能である。
【００１０】
このような発明の態様による場合、グランド端子が一対の第１シグナル端子の両隣及び一対の第２シグナル端子の両隣に配置され、第１、第２シグナル端子の漏れ電界に対する遮蔽壁として機能するので、第１コネクタのＥＭＩ（Electromagnetic Interference）特性を向上させることができる。また、グランド端子が一対の第１シグナル端子の両隣及び一対の第２シグナル端子の両隣に配置されることにより、一対の第１シグナル端子間及び一対の第２シグナル端子間のインピーダンス整合を図ることができる。よって、第１、第２シグナル端子の伝送特性を向上させることができる。
【００１１】
前記グランド端子の前記一部の中心と、前記第１、第２シグナル端子の前記グランド端子の前記一部に対応する部分の中心とが、前記第３方向において略同じ高さに位置していることが好ましい。このような発明の態様による場合、前記グランド端子の前記一部の中心と、前記第１、第２シグナル端子の前記グランド端子の前記一部に対応する部分の中心とが、前記第３方向において略同じ高さに位置しているので、一対の第１シグナル端子間及び一対の第２シグナル端子間のインピーダンス整合が良好になる。よって、第１、第２シグナル端子の伝送特性を更に向上させることができる。
【００１２】
前記グランド端子の前記第１方向の幅寸法を、前記第１、第２シグナル端子の少なくとも一方の前記第１方向の幅寸法よりも小さくすることが可能である。このような発明の態様による場合、前記グランド端子の前記第１方向の幅寸法が、前記第１、第２シグナル端子の少なくとも一方の前記第１方向の幅寸法よりも小さいので、前記第１コネクタの第１方向の幅寸法を更に低減することができる。
【００１３】
又は、前記グランド端子は、前記厚み寸法を除く外形を、前記第１、第２シグナル端子の少なくとも一方の外形と略同じとすることが可能である。このような発明の態様による場合、厚みが異なる導電板が同じ金型でプレス成型されることにより、グランド端子と第１、第２シグナル端子の少なくとも一方とを作成することができるので、前記第１コネクタの低コスト化を図ることができる。
【００１４】
前記第１、第２シグナル端子は、前記第２方向に加えて、前記第１方向にも延びた導電板で構成することが可能である。前記グランド端子は、前記第２方向に加えて、前記第３方向にも延びた導電板である構成とすることが可能である。このような発明の態様による場合、前記第１、第２シグナル端子は、前記第１、第２方向に延びた導電板であるのに対し、前記グランド端子が前記第２、３方向に延びた導電板であるので、前記グランド端子が第１、第２シグナル端子の漏れ電界に対する高い遮蔽壁として機能し得る。よって、前記第１コネクタのＥＭＩ特性を向上させることができる。
【００１５】
前記グランド端子の少なくとも一部の前記第３方向の厚み寸法が、前記第１、第２シグナル端子の前記第３方向の厚み寸法よりも１.５倍以上大きいことが好ましい。
【００１６】
本発明の第２のコネクタは、絶縁性を有するボディと、端子群とを備えている。前記端子群は、前記ボディに第１方向に一列で配設された複数のシグナル端子及びグランド端子を有している。前記シグナル端子は前記第１方向に直交する第２方向に延びている。前記グランド端子は、前記第２方向に延びており且つ隣り合う２つの前記シグナル端子の間に配置されている。前記グランド端子の前記第１方向の幅寸法は、前記シグナル端子の前記第１方向の幅寸法の２倍未満である。前記グランド端子の少なくとも一部の前記第１、第２方向に直交する第３方向の厚み寸法は、前記シグナル端子の前記第３方向の厚み寸法よりも大きくなっている。
【００１７】
前記第２コネクタは、グランド端子の第１方向の幅寸法がシグナル端子の第１方向の幅寸法の２倍未満であるものの、グランド端子の少なくとも一部の第３方向の厚み寸法がシグナル端子の第３方向の厚み寸法よりも大きいので、グランド端子の導体抵抗及びＧＮＤ電位を下げることができる。よって、前記第２コネクタは、グランド端子によりシグナル端子により伝送される信号のクロストークを抑止することができ、且つ前記第２コネクタの第１方向の幅寸法の低減を図ることができる。
【００１８】
前記端子群は、複数の前記グランド端子を有する構成とすることが可能である。この場合、前記グランド端子は、前記シグナル端子のうちの前記第１方向の両端に位置する前記シグナル端子の隣にも配置されている。
【００１９】
このような発明の態様による場合、グランド端子がのうちの第１方向の両端に位置するシグナル端子の隣に配置され、シグナル端子の漏れ電界に対する遮蔽壁として機能するので、第２コネクタのＥＭＩ特性を向上させることができる。また、グランド端子がシグナル端子間だけでなく、シグナル端子の両隣に配置されることにより、全てのシグナル端子のインピーダンス整合を図ることができる。よって、全てのシグナル端子の伝送特性を向上させることができる。
【００２０】
前記グランド端子の前記一部の中心と、前記シグナル端子の前記グランド端子の前記一部に対応する部分の中心とが、前記第３方向において略同じ高さに位置した構成とすることが可能である。このような発明の態様による場合、前記シグナル端子の前記グランド端子の前記一部に対応する部分の中心とが、前記第３方向において略同じ高さに位置しているので、前記シグナル端子のインピーダンス整合を図ることができ、当該シグナル端子の伝送特性を向上させることができる。
【００２１】
前記グランド端子の前記第１方向の寸法を、前記シグナル端子の前記第１方向の寸法よりも小さくすることが可能である。このような発明の態様による場合、前記グランド端子の前記第１方向の幅寸法が、前記シグナル端子の少なくとも一方の前記第１方向の幅寸法よりも小さいので、前記第２コネクタの第１方向の幅寸法を更に低減することができる。
【００２２】
前記グランド端子は、前記厚み寸法を除く外形を、前記シグナル端子の外形と略同じとすることが可能である。このような発明の態様による場合、厚みが異なる導電板を同じ金型でプレス成型することにより、グランド端子及びシグナル端子を作成することができるので、前記第２コネクタの低コスト化を図ることができる。
【００２３】
前記シグナル端子は、前記第２方向に加えて、前記第１方向にも延びた導電板で構成することが可能である。前記グランド端子は、前記第２方向に加えて、前記第３方向にも延びた導電板である構成とすることが可能である。前記シグナル端子は、前記第１、第２方向に延びた導電板であるのに対し、前記グランド端子が前記第２、３方向に延びた導電板であるので、前記グランド端子がシグナル端子の漏れ電界に対する高い遮蔽壁として機能し得る。よって、前記第２コネクタのＥＭＩ特性を向上させることができる。
【００２４】
前記グランド端子の少なくとも一部の前記第３方向の厚み寸法が、前記シグナル端子の前記第３方向の厚み寸法よりも１.５倍以上大きいことが好ましい。
【図面の簡単な説明】
【００２５】
【図１】図１は本発明の実施例に係るコネクタの正面、平面及び右側面を示す概略的斜視図である。
【図２Ａ】図２Ａは、前記コネクタの図１中の２Ａ−２Ａ断面図である。
【図２Ｂ】図２Ｂは、前記コネクタの図１中の２Ｂ−２Ｂ断面図である。
【図３】図３は、前記コネクタの第１、第２シグナル端子及びグランド端子の正面、平面及び右側面を表した概略的斜視図である。
【図４】図４は、前記第１、第２シグナル端子及びグランド端子の図３中の４−４断面図である。
【図５】図５は、前記第１、第２シグナル端子の設計変更例を示す概略的斜視図である。
【図６】図６は、前記グランド端子の設計変更例を説明するための前記第１、第２シグナル端子及び当該グランド端子の模式的断面図である。
【図７】図７は、前記グランド端子の別の設計変更例を示す概略的斜視図である。
【図８Ａ】図８Ａは、前記コネクタの端子群の設計変更例を示す説明図である。
【図８Ｂ】図８Ｂは、前記コネクタの端子群の別の設計変更例を示す説明図である。
【発明を実施するための形態】
【００２６】
以下、本発明の実施例に係るコネクタについて図１〜図４を参照しつつ説明する。図１に示すコネクタは図示しない基板上に実装可能なレセプタクルであって、図示しないプラグが接続可能となっている。前記コネクタは、ボディ１００と、シェル２００と、端子群Ｃとを備えている。以下、前記コネクタの各構成要素について詳しく説明する。なお、図１〜図４において、前記コネクタの幅方向であり且つ端子群Ｃの配列方向である第１方向をＸ、前記コネクタの前後方向であり第１方向Ｘに直交する第２方向をＹ、前記コネクタの上下方向であり且つ第１、第２方向Ｘ、Ｙに直交する第３方向をＺとして表している。
【００２７】
ボディ１００は絶縁樹脂製の直方体である。このボディ１００は、図１及び図２に示すように、本体部１１０と、凸部１２０とを有している。本体部１１０の第２方向Ｙの前面には、上記プラグが挿脱可能な略矩形状の挿入穴１１１が開設されている。この挿入穴１１１の第２方向Ｙの奥側面に凸部１２０が突設されている。凸部１２０は第１方向Ｘ及び第２方向Ｙに延びた矩形状の板である。凸部１２０の上面には、第２方向Ｙに延びた複数の溝１２１が形成されている。
【００２８】
シェル２００は、図１及び図２に示すように、導電性を有する金属板で構成された角筒であって、ボディ１００の外周を覆っている。
【００２９】
端子群Ｃは、図１〜図４に示すように、一対の第１シグナル端子３１０Ｓと、一対の第２シグナル端子３２０Ｓと、複数のグランド端子３３０Ｇとを有している。この端子群Ｃは、第１、第２シグナル端子及びグランド端子が、３３０Ｇ、３１０Ｓ、３１０Ｓ、３３０Ｇ、３２０Ｓ、３２０Ｓ、３３０Ｇの順で、ボディ１００内に第１方向Ｘに一列で配列されている（すなわち、端子群Ｃはボディ１００に第１方向Ｘに一列で配列されている）。
【００３０】
一対の第１シグナル端子３１０Ｓは、図２Ａ及び図３に示すように、第１方向Ｘにおいて互いに隣り合い、１ＧＨｚ以上の高速差動信号伝送用の差動ペアを構成している。各第１シグナル端子３１０Ｓは、第２方向Ｙに延びた導電性を有する金属板である。各第１シグナル端子３１０Ｓは、中間部３１１Ｓと、接触部３１２Ｓと、折り曲げ部３１３Ｓと、テール部３１４Ｓとを有している。
【００３１】
中間部３１１Ｓは第２方向Ｙに延びた板であって、ボディ１００の本体部１１０に埋設され保持されている。中間部３１１Ｓは、第２方向Ｙの第１、第２端を有しており、前記第１端に接触部３１２Ｓが、前記第２端に折り曲げ部３１３Ｓが連設されている。
【００３２】
接触部３１２Ｓは、中間部３１１Ｓに連続して第２方向Ｙに延びた板である。この接触部３１２Ｓは、ボディ１００の凸部１２０の溝１２１に挿入されている。接触部３１２Ｓは、第３方向Ｚの上方に円弧状に湾曲した湾曲部を有している。前記湾曲部が上記プラグのシグナル用のコンタクトに接触可能となっている。
【００３３】
折り曲げ部３１３Ｓは、中間部３１１Ｓに対して直角に折り曲げられた略Ｌ字状の板であって、本体部１１０の第２方向Ｙの後面に沿って第３方向Ｚに延びている。テール部３１４Ｓは、折り曲げ部３１３Ｓの第３方向Ｚの下端部に連設され且つ折り曲げ部３１３Ｓに対して直角に折り曲げられた板であって、第２方向Ｙに延びている。テール部３１４Ｓは、上記基板のシグナルラインに接続可能となっている。
【００３４】
一対の第２シグナル端子３２０Ｓは、図３に示すように、第１方向Ｘにおいて互いに隣り合い、１ＧＨｚ以上の高速差動信号伝送用の差動ペアを構成している。各第２シグナル端子３２０Ｓは、第２方向Ｙに延びる導電性を有する金属板であり且つ第１シグナル端子３１０Ｓと同じ構成となっている。各第２シグナル端子３２０Ｓは、中間部３２１Ｓと、接触部３２２Ｓと、折り曲げ部３２３Ｓと、テール部３２４Ｓとを有している。なお、第２シグナル端子３２０Ｓの各部については、第１シグナル端子３１０Ｓと説明が重複するため省略する。
【００３５】
グランド端子３３０Ｇは、図２Ｂ及び図３に示すように、第２方向Ｙに延びる導電性を有する金属板であって、グランド端子３３０Ｇの厚み寸法を除く外形が第１、第２シグナル端子３１０Ｓ、３２０Ｓの外形と略同じになっている。グランド端子３３０Ｇの第１方向Ｘの寸法は、第１、第２シグナル端子３１０Ｓ、３２０Ｓの第１方向Ｘの寸法と同じである。グランド端子３３０Ｇの厚み寸法（板厚）は、図３及び図４に示すように、第１、第２シグナル端子３１０Ｓ、３２０Ｓの厚み寸法（板厚）より１.５倍以上大きい。グランド端子３３０Ｇは、一対の第１シグナル端子３１０Ｓのうちの一方の第１シグナル端子３１０Ｓと一対の第２シグナル端子３２０Ｓのうちの一方の第２シグナル端子３２０Ｓとの間と、他方の第１シグナル端子３１０Ｓの両隣のうち一方の第１シグナル端子３１０Ｓの反対側と、他方の第２シグナル端子３２０Ｓの両隣のうち一方の第２シグナル端子３２０Ｓの反対側とに各々配置されている。
【００３６】
各グランド端子３３０Ｇは、中間部３３１Ｇと、接触部３３２Ｇと、折り曲げ部３３３Ｇと、テール部３３４Ｇとを有している。中間部３３１Ｇは、第２方向Ｙに延びた板であって、ボディ１００の本体部１１０に埋設され保持されている。中間部３３１Ｇの厚み寸法（板厚）は、第３方向Ｚにおいて第１、第２シグナル端子３１０Ｓ、３２０Ｓの中間部３１１Ｓ、３２１Ｓの厚み寸法（板厚）よりも１.５倍以上大きくなっている。中間部３３１Ｇ（すなわち、グランド端子の厚み寸法が第１、第２シグナル端子の厚み寸法よりも大きい部分の一部）の中心Ｏ３と、中間部３１１Ｓ、３２１Ｓ（すなわち、第１、第２シグナル端子の前記一部に対応する部分）の中心Ｏ１、Ｏ２とが、図４に示すように、第３方向Ｚにおいて略同じ高さに位置している。中間部３３１Ｇは、第２方向Ｙの第１、第２端を有しており、前記第１端に接触部３３２Ｇが、前記第２端に折り曲げ部３３３Ｇが連設されている。
【００３７】
接触部３３２Ｇは、中間部３３１Ｇに連続して第２方向Ｙに延びた板であって、接触部３３２Ｇの厚み寸法（板厚）が第３方向Ｚにおいて接触部３１２Ｓの厚み寸法（板厚）よりも１.５倍以上大きい。この接触部３３２Ｇは、ボディ１００の凸部１２０の溝１２１に挿入されている。接触部３３２Ｇは、第３方向Ｚの上方に円弧状に湾曲した湾曲部を有している。前記湾曲部が上記プラグのグランド用のコンタクトに接触可能となっている。
【００３８】
折り曲げ部３３３Ｇは、中間部３３１Ｇに対して直角に折り曲げられた略Ｌ字状の板であって、本体部１１０の第２方向Ｙの後面に沿って第３方向Ｚに延びている。折り曲げ部３３３Ｇの厚み寸法（板厚）は、第２方向Ｙにおいて折り曲げ部３１３Ｓの厚み寸法（板厚）よりも１.５倍以上大きい。
【００３９】
テール部３３４Ｇは、折り曲げ部３３３Ｇの第３方向Ｚの下端部に連設され且つ折り曲げ部３３３Ｇに対して直角に折り曲げられた板であって、第２方向Ｙに延びている。テール部３３４Ｇの厚み寸法（板厚）は、第３方向Ｚにおいてテール部３１４Ｓの厚み寸法（板厚）よりも１.５倍以上大きい。テール部３１４Ｓは、上記基板のグランドラインに接続可能となっている。
【００４０】
以下、上述した構成のコネクタの製造方法を詳しく説明する。まず、導電性を有する金属板を用意する。その後、前記金属板を所定の金型を用いてプレス成型し、第１、第２シグナル端子３１０Ｓ、３２０Ｓを作成する。その一方で、前記金属板よりも板厚が１.５倍以上大きい導電性を有する金属板を用意する。その後、前記金属板を、前記金型を用いてプレス成型し、グランド端子３３０Ｇを作成する。
【００４１】
その後、絶縁樹脂を射出成型し、ボディ１００を作成する。このとき、第１シグナル端子３１０Ｓの中間部３１１Ｓ、第２シグナル端子３２０Ｓの中間部３２１Ｓ及びグランド端子３３０Ｇの中間部３３１Ｇが本体部１１０にインサート成型される。これにより、第１、第２シグナル端子及びグランド端子が、３３０Ｇ、３１０Ｓ、３１０Ｓ、３３０Ｇ、３２０Ｓ、３２０Ｓ、３３０Ｇの順で、ボディ１００内に第１方向Ｘに一列で配列される。
【００４２】
その後、ボディ１００をシェル２００に挿入する。このように製造されたコネクタは、上記基板上に実装される。このとき、シェル２００が上記基板のグランドラインに、テール部３１４Ｓ、３２４Ｓが上記基板のシグナルラインに、テール部３３４Ｇが前記基板のグランドラインに半田接続される。
【００４３】
このようなコネクタによる場合、グランド端子３３０Ｇの第１方向Ｘの寸法が第１、第２シグナル端子３１０Ｓ、３２０Ｓの第１方向Ｘ及び第２方向Ｙの寸法と同じであるものの、グランド端子３３０Ｇの厚み寸法（板厚）が第１、第２シグナル端子３１０Ｓ、３２０Ｓの厚み寸法（板厚）より１.５倍以上大きいので、グランド端子３３０Ｇの導体抵抗及びＧＮＤ電位を下げることができる。よって、前記コネクタは、一対の第１シグナル端子３１０Ｓと、一対の第２シグナル端子３２０Ｓとの間に配置されたグランド端子３３０Ｇにより、一対の第１シグナル端子３１０Ｓにより伝送される信号と一対の第２シグナル端子３２０Ｓにより伝送される信号とのクロストークを抑止することができる。加えて、グランド端子３３０Ｇの第１方向Ｘの寸法が、第１、第２シグナル端子３１０Ｓ、３２０Ｓの第１方向Ｘの寸法と同じであるので、前記コネクタの第１方向の幅寸法の低減を図ることができる。
【００４４】
しかも、板厚が大きいグランド端子３３０Ｇは、板厚が小さい一対の第１シグナル端子３１０Ｓの両隣及び一対の第２シグナル端子３２０Ｓの両隣に配置されているので、グランド端子３３０Ｇが第１、第２シグナル端子３１０Ｓ、３２０Ｓの漏れ電界に対する遮蔽壁として機能する。よって、前記コネクタのＥＭＩ（Electromagnetic Interference）特性を向上させることができる。また、グランド端子３３０Ｇは、一対の第１シグナル端子３１０Ｓの両隣及び一対の第２シグナル端子３２０Ｓの両隣に配置されており、且つ、グランド端子３３０Ｇの中間部３３１Ｇの中心Ｏ３と第１、第２シグナル端子３１０Ｓ、３２０Ｓの中間部３１１Ｓ、３２１Ｓの中心Ｏ１、Ｏ２とが第３方向Ｚにおいて略同じ高さに位置している。よって、第１シグナル端子３１０Ｓ間及び第２シグナル端子３２０Ｓ間のインピーダンス整合を図ることができ、第１、第２シグナル端子３１０Ｓ、３２０Ｓの伝送特性を向上させることができる。
【００４５】
なお、上述したコネクタは、上記実施例に限定されるものではなく、特許請求の範囲の記載範囲において任意に設計変更することが可能である。以下、詳しく述べる。
【００４６】
上記実施例では、第１、第２シグナル端子３１０Ｓ、３２０Ｓは、同じ形状であるとしたが、これに限定されるものではない。例えば、第１シグナル端子の形状と第２シグナル端子の形状とが、相違するように設計変更することが可能である。また、一方の第１、第２シグナル端子の形状と、他方の第１、第２シグナル端子の形状とが、相違するように設計変更することが可能である。第１シグナル端子の形状と第２シグナル端子の形状とが相違し、且つ、一方の第１、第２シグナル端子の形状と他方の第１、第２シグナル端子の形状とが相違するように設計変更することも可能である。
【００４７】
上記実施例では、第１、第２シグナル端子３１０Ｓ、３２０Ｓは、中間部３１１Ｓ、３２１Ｓ、接触部３１２Ｓ、３２２Ｓ、折り曲げ部３１３Ｓ、３２３Ｓ及びテール部３１４Ｓ、３２４Ｓを有するとしたが、少なくとも第２方向に延びる導電部材である限り任意に設計変更することが可能である。例えば、第１、第２シグナル端子は、第２方向に延びる直線状とすることも可能である。また、図５に示すように、第１、第２シグナル端子３１０Ｓ’、３２０Ｓ’は、第１方向Ｘ及び第２方向Ｙに延びた導電板で構成することが可能である。この場合、中間部３１１Ｓ’、３２１Ｓ’、接触部３１２Ｓ’、３２２Ｓ’及びテール部３１４Ｓ’、３２４Ｓ’は、第１方向Ｘ及び第２方向Ｙに延びた板である。折り曲げ部３１３Ｓ’、３２３Ｓ’は中間部３１１Ｓ’、３２１Ｓ’に対して直角に折り曲げられたＬ字状であって、第１方向Ｘ及び第３方向Ｚに延びた板である。
【００４８】
上記実施例では、グランド端子３３０Ｇは、中間部３３１Ｇと、接触部３３２Ｇと、折り曲げ部３３３Ｇと、テール部３３４Ｇとを有し且つ厚み寸法を除く外形が第１、第２シグナル端子３１０Ｓ、３２０Ｓの外形と略同じであるとした。しかし、グラント端子は、下記条件を満たす限り任意に設計変更することが可能である。第１条件は、グランド端子が第２方向に延びた導電部材であることである。第２条件は、前記グランド端子の前記第１方向の幅寸法が前記第１シグナル端子の前記第１方向の幅寸法の２倍未満であることである。第３条件は、前記グランド端子の少なくとも一部の第３方向の厚み寸法が第１、第２シグナル端子の第３方向の厚み寸法よりも大きいことである。なお、第３条件に関しては、グランド端子の少なくとも一部の第３方向の厚み寸法が、第１、第２シグナル端子の前記グランド端子の前記一部に対応する部分の第３方向の厚み寸法よりも１.５倍以上大きいことが好ましい。
【００４９】
第１シグナル端子の形状と第２シグナル端子の形状とが相違している場合、一方の第１、第２シグナル端子の形状と他方の第１、第２シグナル端子の形状とが相違している場合又はその両方である場合、グランド端子は、その厚み寸法を除く外形を一対の第１シグナル端子の少なくとも一方又は第２シグナル端子の少なくとも一方の外形と略同じとすることができる。また、グランド端子は、図６に示すグランド端子３３０Ｇ’のように、第１方向Ｘの幅寸法が第１、第２シグナル端子の３１０Ｓ、３２０Ｓの第１方向Ｘの幅寸法よりも小さくすることが可能である。また、グランド端子の前記第１方向の幅寸法は、第１、第２シグナル端子の何れか一方の第１方向の幅寸法よりも小さくすることも可能である。
【００５０】
また、グランド端子及び第１、第２シグナル端子が第２方向に延びる直線状等である場合には、グランド端子全体の第３方向の厚み寸法を第１、第２シグナル端子の第３方向の厚み寸法よりも大きくすることができる。また、グランド端子の中間部の第３方向の厚み寸法のみを第１、第２シグナル端子の第３方向の厚み寸法よりも大きくすることができる。また、グランド端子は、図７に示すグランド端子３３０Ｇ’’のように、第２方向Ｙ及び第３方向Ｚに延びた導電板とすることが可能である。この場合、中間部３３１Ｇ’’、接触部３３２Ｇ’’、折り曲げ部３３３Ｇ’’及びテール部３３４Ｇ’’は、第２方向Ｙ及び第３方向Ｚに延びた板である。グランド端子３３０Ｇ’’は、一対の第１、第２シグナル端子３１０Ｓ、３２０Ｓのうちの一方の第１、第２シグナル端子３１０Ｓ、３２０Ｓの間又は一対の第１、第２シグナル端子３１０Ｓ’、３２０Ｓ’うちの一方の第１、第２シグナル端子３１０Ｓ’、３２０Ｓ’の間に配置することができる。また、グランド端子３３０Ｇ’’は、他方の第１、第２シグナル端子３１０Ｓ、３２０Ｓの両隣のうち一方の第１、第２シグナル端子３１０Ｓ、３２０Ｓの反対側又は他方の第１、第２シグナル端子３１０Ｓ’、３２０Ｓ’の両側のうち一方の第１、第２シグナル端子３１０Ｓ’、３２０Ｓ’の反対側にも配置することができる。
【００５１】
上記実施例では、グランド端子３３０Ｇの中間部３３１Ｇの中心Ｏ３と、第１、第２シグナル端子３１０Ｓ、３２０Ｓの中間部３１１Ｓ、３２１Ｓの中心Ｏ１、Ｏ２とが、第３方向Ｚにおいて略同じ高さに位置しているとした。しかし、グランド端子の第３方向の厚み寸法が第１、第２シグナル端子の第３方向の厚み寸法よりも大きい部分（一部）の中心と、第１、第２シグナル端子の前記一部に対応する部分の中心とが、第３方向において略同じ高さ位置に位置するように設計変更することが可能である。すなわち、グランド端子及び第１、第２シグナル端子の中間部以外の中心の高さ位置が同じになるように設計変更することが可能である。また、グランド端子の前記一部の中心と第１、第２シグナル端子の前記一部に対応する部分の中心とが異なる高さ位置に位置するように設計変更することも可能である。
【００５２】
上記実施例では、第１、第２シグナル端子及びグランド端子は、中間部がボディにインサート成型されるとしたが、ボディに保持され、少なくとも一列で配列される限り任意に設計変更することが可能である。よって、ボディに第２方向Ｙに貫通する孔を形成し、この孔に第１、第２シグナル端子及びグランド端子の中間部が挿入され、保持されるように設計変更することができる。
【００５３】
上述したグランド端子は、一対の第１シグナル端子のうちの一方の第１シグナル端子と一対の第２シグナル端子のうちの一方の第２シグナル端子との間と、他方の第１シグナル端子の両隣のうち一方の第１シグナル端子の反対側と、他方の第２シグナル端子の両隣のうち一方の第２シグナル端子の反対側とに各々配置されているとした。しかし、グランド端子は、少なくとも、隣り合う２つのシグナル端子間に配置されている限り任意に設計変更することが可能である。例えば、グランド端子が、一対の第１シグナル端子のうちの一方の第１シグナル端子と、前記一対の第２シグナル端子のうちの一方の第２シグナル端子との間にのみ配置された態様とすることが可能である。また、グランド端子は、一方の第１シグナル端子と別のシグナル端子（第２シグナル端子）との間に配置された態様とすることが可能である。換言すると、グランド端子は、差動ペアの一方と別のシグナル端子との間に配置することが可能である。これらの場合も、上記実施例と同様に、第１、第２シグナル端子及びグランド端子は第１方向に一列で配列されている。
【００５４】
更に、グランド端子は、複数のシングルエンド用等のシグナル端子間に配置することが可能である。また、グランド端子は、図８Ａ及び図８Ｂに示すグランド端子Ｇ、Ｇ’のように、シングルエンド用等のシグナル端子Ｓ間及びシグナル端子Ｓのうちの第１方向Ｘにおいて両端に位置するシグナル端子Ｓの隣に配置することも可能である。なお、図８Ａ中のＣ’は、図示しないボディに第１方向Ｘに一列で配列されたグランド端子Ｇ及びシグナル端子Ｓを有する端子群である。図８Ｂ中のＣ’’は、図示しないボディに第１方向Ｘに一列で配列されたグランド端子Ｇ’及びシグナル端子Ｓを有する端子群である。
【００５５】
シグナル端子Ｓは第１方向Ｘに直交する第２方向に延びている限り、当該シグナル端子Ｓの形状を任意に設計することができる。例えば、シグナル端子Ｓは、第１、第２シグナル端子３１０Ｓ、３２０Ｓ、３１０Ｓ’、３２０Ｓ’と同様の形状とすることができる。
【００５６】
グランド端子Ｇ、Ｇ’は、下記条件を満たす限り任意に設計することが可能である。第１条件は、前記グランド端子が前記第２方向に延びた導電部材であることである。第２条件は、グランド端子の前記第１方向の幅寸法がシグナル端子の前記第１方向の幅寸法の２倍未満であることである。第３条件は、グランド端子の少なくとも一部の第３方向の厚み寸法がシグナル端子の第３方向の厚み寸法よりも大きくなっていることである。よって、図８Ａに示すグランド端子Ｇの如く、厚み寸法を除く外形をシグナル端子Ｓと略同じとすることが可能である。また、図８Ｂに示すグランド端子Ｇ’の如く、第１方向Ｘの幅寸法がシグナル端子Ｓの第１方向Ｘの幅寸法よりも小さくすることが可能である。なお、第３条件に関しては、グランド端子の少なくとも一部の第３方向の厚み寸法が、シグナル端子の前記グランド端子の前記一部に対応する部分の第３方向の厚み寸法よりも１.５倍以上大きいことが好ましい。
【００５７】
また、グランド端子Ｇ、Ｇ’及びシグナル端子が第２方向に延びる直線状等である場合には、グランド端子Ｇ、Ｇ’全体の第３方向の厚み寸法をシグナル端子の第３方向の厚み寸法よりも大きくすることができる。グランド端子Ｇ、Ｇ’の中間部の第３方向の厚み寸法のみをシグナル端子の中間部の第３方向の厚み寸法よりも大きくすることができる。更に、グランド端子Ｇ、Ｇ’は、グランド端子３３０Ｇ、３３０Ｇ’又はグランド端子３３０Ｇ’’と同様の構成とすることが可能である。
【００５８】
また、図８Ａ及び図８Ｂに示すように、グランド端子Ｇ、Ｇ’の第３方向の厚み寸法がシグナル端子Ｓの第３方向の厚み寸法よりも大きい部分（一部）の中心と、シグナル端子Ｓの前記一部に対応する部分の中心とが、第３方向において略同じ高さ位置に位置するように配置することが可能である。また、グランド端子Ｇ、Ｇ’の前記中心と、シグナル端子Ｓの前記中心とが、第３方向において異なる高さに配置することも可能である。
【００５９】
上述した端子群は、ボディに一列で配列されているとしたが、第１、第２シグナル端子（又はシグナル端子）及びグランド端子がボディに少なくとも一列で配列されている限り任意に設計変更することが可能である。すなわち、端子群は、第１、第２シグナル端子（又はシグナル端子）及びグランド端子がボディに２列以上で配列された構成とすることが可能である。上記実施例では、端子群が、一対の第１、第２シグナル端子と複数のグランド端子とを有するとしたが、複数組の一対の第１、第２シグナル端子と複数のグランド端子とを有する構成とすることが可能である。この場合、グランド端子は、一対の第１シグナル端子と、一対の第２シグナル端子との間に配置することができる。これに加えて、グランド端子は、一対の第１、第２シグナル端子のうちの第１方向の両端の端子の隣に配置することも可能である。
【００６０】
なお、上記実施の形態では、コネクタの各部を構成する素材、形状、寸法、数及び配置等はその一例を説明したものであって、同様の機能を実現し得る限り任意に設計変更することが可能である。上記実施例では、コネクタはレセプタクルであるとしたが、プラグとすることも可能である。なお、第１、第２シグナル端子又はシグナル端子により伝送される信号及びその周波数は適宜設定可能であり、上記実施例の高速差動信号に限定されるものではない。
【符号の説明】
【００６１】
１００・・・・ボディ
１１０・・・本体部
１２０・・・凸部
２００・・・・シェル
Ｃ・・・・・・端子群
３１０Ｓ・・第１シグナル端子
３１１Ｓ・中間部
３１２Ｓ・接触部
３１３Ｓ・折り曲げ部
３１４Ｓ・テール部
３２０Ｓ・・第２シグナル端子
３２１Ｓ・中間部
３２２Ｓ・接触部
３２３Ｓ・折り曲げ部
３２４Ｓ・テール部
３３０Ｇ・・グランド端子
３３１Ｇ・中間部
３３２Ｇ・接触部
３３３Ｇ・折り曲げ部
３３４Ｇ・テール部
Ｘ・・・・・・第１方向
Ｙ・・・・・・第２方向
Ｚ・・・・・・第３方向
【図１】
2012227025.tif 000003
【図２Ａ】
2012227025.tif 000004
【図２Ｂ】
2012227025.tif 000005
【図３】
2012227025.tif 000006
【図４】
2012227025.tif 000007
【図５】
2012227025.tif 000008
【図６】
2012227025.tif 000009
【図７】
2012227025.tif 000010
【図８Ａ】
2012227025.tif 000011
【図８Ｂ】
2012227025.tif 000012